(57)【要約】      （修正有）【課題】掛ふとんと敷ふとんに内蔵された通風路に暖房機より温風が送風され寝具外に放出される構造において、エネルギの浪費を押え、口元やのどの乾きが生じるのを防ぐ。【解決手段】掛用ふとん３３に掛用送風布３２を足部裏に取付け、掛用カバー３３′をかける。吸気除湿ネット頭部カバー３１′の中に吸気除湿ネット３１を入れ、その足元の上に敷用送風管を取付け、それぞれを万能循環暖房機５０に接続する。寝床空間の空気３５は敷用両サイド送風口４７より吸引され、調節ヒーターで加温され掛用送風管、敷用送風管より寝床空間の空気３５に戻る。【選択図】図３９
2009201977.tif 000002
【特許請求の範囲】
【請求項１】
掛ふとんと敷ふとんとで形成した寝床内の空気をファンにより循環させることを特徴とする寝具。
【請求項２】
掛ふとんと敷ふとんとで形成した寝床内の空気を足元付近から吸引し、ファンを介して再び前記寝床内に空気を送風することを特徴とする請求項１に記載の寝具。
【請求項３】
掛ふとんの人の足方向の端部に空気を寝床内に吸引する敷用送風布又は、掛用送風布を設けたことを特徴とする請求項２に記載の寝具。
【請求項４】
掛ふとんと敷ふとんとで形成した寝床内の空気を通気性を有する敷ふとんを介して吸引し、ファンを介して再び前記寝床内に空気を送風することを特徴とする請求項１に記載の寝具。
【請求項５】
敷ふとんの頭部と足元を除く中間部から空気を吸引することを特徴とする請求項４に記載の寝具。
【請求項６】
掛ふとんの人の足方向の端部に空気を寝床内に送る敷用送風布を設けたことを特徴とする請求項５に記載の寝具。
【請求項７】
吸引した空気を掛ふとんと掛ふとんカバーの隙間及び、又は敷ふとんと敷ふとんカバーの隙間から寝床内に送風することを特徴とする請求項１乃至請求項６に記載の寝具。
【請求項８】
吸引した寝床内の空気をヒーターにより暖めて寝床内に送風することを特徴とする請求項１乃至請求項７に記載の寝具。
【請求項９】
吸引した寝床内の空気をフィルターを通して寝床内に送風することを特徴とする請求項１乃至請求項８に記載の寝具。
【請求項１０】
掛ふとんの人の頭方向の端部に隙間を覆うカバーを設けたことを特徴とする請求項１乃至請求項９に記載の寝具。
【請求項１１】
掛ふとんと敷ふとんとで形成した寝床内の温度を温度センサーを設けて、この温度センサーが人の体温により上昇すると同時にファンにより空気を循環させると共に、室温を調整することを特徴とする請求項１乃至１１に記載の寝具。
【発明の詳細な説明】
【技術の分野】
【０００１】本発明は健康福祉用寝具に関する分野
【背景技術】
【０００２】従来の技術は掛ふとんや、敷ふとんに内蔵された温風通路に温風を送風し、寝床内を睡眠に適した環境にエアーコントロールしていました。温風は寝具の外に放出され常に外気を指定温度までヒーターで加温し、エネルギーのロスが多く、ＣＯ２を多量に発生させて排出していました。
【特許文献１】特許３０６１３６０号
【特許文献２】特許３１８６６３２
【特許文献３】特許３０５３５０７号
【特許文献４】特許２６３０７３３
【特許文献５】特許２６１６８９３号
【発明の開示】
【発明が解決しようとする課題】
【０００３】第１はエアースリープ用暖房機は睡眠中８時間使用します。介護業界では２４時間使用する為、ＣＯ２削減が商品開発の義務であり、これを解決する課題がありました。
第２は暖房機よりの温風は、足元より寝床内を流れ、口元を乾燥させる為、のどが乾き、病気のもとになるとも言われる為、解決する課題の一つでもありました。
第３は睡眠中は寝床内のエアーコントロールして快眠出来ることが大切な要件であり室内の空調は続けられているのが常であった。
エコスリープの空調は極小域の寝床内であり、室用の空調は極めて広い室内全域てありそのエネルギのロスは言うに及ばす、ＣＯ２の発生を削減する課題が急務である。
第４はエアースリープ寝具は、掛ふとん敷ふとんの専用品を購入する必要があります全ての人ヤ、ホテル、介護施設では寝具は使用して持っています。この寝具を使用することが、普及の近道でこの問題を解結する大きな課題がありました。
【課題を解決する手段】
【０００４】第１の題題を解決するには、掛ふとんと敷ふとんとで構成された空間の空気をファンにより循環させることである。循環した空気は調節ヒータ（１３）を通り指定温度に加温され寝床空間の空気（３５）に戻るのです。調節ヒータ（１３）に入る前に、消臭殺菌フィルター（１６）を図２１て示す様に通過させることが介護業界で使用の場合特に必要で、図２２で示す様に安価な商品にはフィルター無しでも環境により使用も可能です。
図１２、図３０、図３３、図３５、図３９、で示す様な方法で課題を解決する。
第２の課題を解決するには、図１２、で示す様に肩カバー（３７）をマクラの上に乗せて使用するのです。長さ１６０ｃｍ、巾６０ｃｍの布袋に、１６０ｇの羽毛又は類した綿を入れた品が最良である。肩よりの温風は完全に止り、口元は乾きません。冬期特に効果が有ります。又肩を保温するには最良です。
第３の課題を解決するには簡易な方法は室内温度調節器（４６）又は個室専用クーラーの電源とエコスリープ暖房機の電源とを切換スイッチにすることです。エコスリープ寝具で睡眠する時は室内空調が止り、効果は絶大で電気料金の差益で購入可能です。
図２９で示す様に敷用温度センサー（４５）が入床を感知したら、室内温度調節器（４６）が作動、指定の室温にコントロールすることが理想である。敷用温度センサー（４５）のかわりに体重の重さで入床を感知して室内をコントロールするのも一つの方法である。
第４の課題を解決するには手持ちの掛ふとん（３３）の足元の裏面に、掛用送風布（３２）又は掛用送風管（３２′）を接着又は縫合し図１８の様に取付ける。掛用カバー（３３′）はその上からセットする。
手持の敷ふとん又はベットの上に図１４、図１５、で示す吸気除湿ネット頭部カバー（３１′）の中に吸気除湿ネット（３１）を入れ吸気管（２８）を取付ける。その足元の上に、敷用送風布（３４）を取付けるか敷用送風管（３４′）を合せて取付けるかは環境により異る。
図１６、図１７、は敷用送風布（３４）の中に敷用送風管（３４′）が入いった図です。単独で使用も可能です
図１２、は手持ち寝具を使用して循環暖房機（１）、にセットし、温風が循環する様子を矢印で示しています。
手持ち寝具をエコスリープ寝具にするには、前記部品の１、循環暖房機（１）又は万能循環暖房機（５０）２、図１５のセット３、図１９の部品の３点が必要です。
この様な部品を使用して課題を解決するのです。
【発明の効果】
【０００５】第１の課題を解決した発明の効果は、図４１のグラフが示す様に明かである。
図３９、の図に示す様に掛用温湿センサー（５１）背面温湿センサー（５２）戻り温湿センサー（５３）の位置で測定した数字がそれを証明している。温度を見ると掛用温度センサー（５１）は３１℃を示し、背面温度センサー（５２）は（３１℃）を示し戻り温湿センサーは３０℃を示しています。戻る間１℃低下しているのは、掛ふとんと敷ふとんの重ねた、すき間より外気を小量吸入したと考へられます。寝返りが原因と思はれます。他の時間では同一温度で循環しています。室温は２７℃で送風温度は２９℃です。体温３６℃が加温体となり寝床内は３１℃〜３２℃で快眠環境になっているのです。
市販のエコスリープ則定器（１０％の誤差有り）で則定した表ですが家庭の電気料金１ｋｗ２２円とした計算で差益は１１５円０８銭（８時間睡眠）ＣＯ２削減２．９１ｋｇの数字を見ても絶大な発明の効果があります。全ての人が１／３の睡眠をしています。新聞によればホテルのＣＯ２発生は日本の１０％にあたると発表されています。家庭からは１３％です。
計りしれない効果が有ると信じます。
第２の課題を解決した効果の証明は、図４１のグラフの温度を見れば、温風はもれてない。
口元には温風がこないので、健康上の心配はない。この効果も大切なことである。
第３の課題を解決した発明の効果は第１の発明の効果で示した家庭の効果の他に、ホテルでの消エネ、ＣＯ２の削減は言うに及ばない。
調査した数字によれば
ある新館のビジネスホテルでは、個別空調器が一室毎に施置されています。冷房は１時間４８５ｗ使用  暖房は１時間５５５ｗ使用（メーカーよりの数字）
この空調器を８時間使用すれば、電気料金の無駄でありＣＯ２の発生は計りしれない数字になりその発明の効果は論ずるまでもない。
地球の温暖化の防止こそ人類の生存の原点であり、ＣＯ２削減こそ最大の急務である。
悪化こそすれ、もとにはもどれないことである。
第４の課題を解決した効果は、家庭やホテルの手持ち寝具が全て利用出来て、安価に購入出来る様になれば、その普及は急速に拡大しＣＯ２削減に最大の効果をもたらし資源の節約は莫大な利益となり、国民の健康は快眠により保たれ生活の活力になると信じます。又国家の医療費の節減につながること間違い無いと信じます。
【発明を実施する為の最良の形能】
【実施例】
【０００７】図１、図２、図３、はホテル専用の循環暖房機の平面図、正面図、側面図で透視により温風の流れを示す図で、図４、図５、図６は吸入口（３）の平面図、正面図  側面図で横にひらたく、ベットより飛び出ない様に設計してあります。図７、図８、図９は掛ふとん用と敷ふとん用とが一つになった掛敷送風口（６）で平たく、セットに手まのかゝらない様設計してあります。図１０は吸入口（３）よりの温風の流れを示す透視側面図で、図１１はベットに固定した循環暖房機（１）の図である。
図１２はホテルベットにエコスリープ寝具をセットし温風の流れを矢印で示した図で図１３はその側面図である。
図１２の構造を説明する。
ベットの上に図１５で示す様に吸気除湿ネット頭部カバー（３１′）の不通気布の中に吸気除湿ネット（３１）を入れ吸気管（２８）と接続する。その足元の上に図１６、図１７で示す敷用送風布（３４）又は敷用送風管（３４′）を取付け図１４の組立てられたセットをベットの上に敷きその上から敷カバ（３８）でカバーする。
掛ふとんは設置用の裏面に図１９、図２０で示す掛用送風布（３２）又は掛用送風管（３２′）を図１８の様にセットし循環暖房機（１）と接続する。
図２１、は介護用として殺菌を重点に殺菌燈を内蔵し消臭、殺菌フィルター（１６）で完璧な殺菌をする循環暖房機（１）の側面透視図である。ホテルで使用する高級品です。
図２２は快適な睡眠を求めて安価な商品を求める人に設計した図で学生を対象に考へた簡易循環暖房機（４３）である。
図２３、図２４  図２５  図２６は病院や家庭、高級ホテルでの使用寝具が不眠寝具であることを示すグラフで、入床後約３時間後より汗が溜り寝苦るしい環境になることを示したグラフで人が使用している寝具は全て同様の環境になっているのです。
エコスリープ寝具の使用環境と比べてみる。
図２８は循環暖房機（１）を使用した寝床内の温風の流れを示すで、掛用温湿センサー（４４）敷用温湿センサー（４５）の設置位置を示した図です図２７は冬の１月７日３１℃の強風を送風した温度、湿度のグラフです。室温１３℃でこの温度を３１℃に上昇すると湿度が低下するのです。中風か低風の送風をすれば汗が加湿体となり寝床内湿度は上昇します。
図２９は敷用温湿センサー（４５）と室内温度調節器の設置を示す図です。
以上の実施例はホテル専用を考へた循環暖房機（１）を使用した実施例である。【０００８】万能循環暖房機（５０）の実施例について説明する。
循環暖房機（１）は一般家庭では高さが色々と種類が多く、和室、介護ベット等全てに対応する必要が有る為図３７、図３８のボデーの設計を考へました。
内部の機能は全く循環暖房機の構造と同じです。温風の流れを一部変向しました。
図３７、は万能循環暖房機（５０）の平面図で敷用送風口（２４）吸入口（３）掛用送風口（２３）と一列にならべてあります。それぞれ丸状の送風管で、この位置は変っても使用にはさしさわりは有りません。
図３８、は万能循環暖房機（５０）の正面図で左右に高床ベット取付穴（４８）中床ベット取付穴（４９）があります。
図３０は高床ベットにセットした正面図で、温風の流れを示した透視図です。
図３１は図３０の側面図で吸気除湿ネット（３１）より吸入口（３）にセットされた図又図３２、で示す敷用両サイド送風口（４７）を使用して敷に送風している図である。
図３３は正面図で図３４はその側面図  敷用送風布（３４）に立体ネットをはさんで吸入口（３）にセットして温風の流れを示す透視図です。
図３５は和室にセットした透視正面図で温風の流れは図３０と同じい流れです。
図３６はその側面図です。
万能循環暖房機（５０）は全ての寝具に対応出来るのです。色々と実験テストの結果最良の実施例は図３９で示す方法が最良のセットである。
図３９について説明する。２枚重ねのベットマットの間に、循環暖房機セット棒（４０）をはさみその２本に中床ベット取付穴（４９）を入れて固定する。その際３本の管はベットに近くなる様取付ける。取付穴は高床ベット取付穴（４８）を利用してセットすることもあり現地の状況に合せて取付けるのです。
次に図１５で示す吸気除湿ネット（３１）と吸気除湿ネット頭部カバー（３１′）が組まれた、足部に敷用送風布（３４）を取付け、その中に図３２の敷用両サイド送風口（４７）を入れてセットする。このセツが最良ですが、敷用両サイド送風口（４７）単独でもよい。
この組立てた一体化の敷マットをベットの上に乗せ、図４０で示す様に敷用両サイド送風口（４７）と吸気管（２８）と接続する。次に吸気除湿ネット（３１）と敷用送風管（３０）とセットして、次に背面温湿センサ（５２）を中央近くの吸気除湿ネット（３１）下に設置する。
この様にセットが出来れはホテルやベット使用の人は敷カバー（３８）を上から掛ければよい。今までの敷カバー（３８）の交換と全く手まも同じである為、ホテルのメーキングの時間も同じで手持の敷カバー（３８）を使用出来るのです。
手持掛用カバー（３３′）をその上に今まで通りベットの上に図３９の様にセットすればよい。
掛用ふとん（３３）の足部裏面に図３２で示す敷用両サイド送風口（４７）を図１９で示す掛用送風布（３２）に入れて縫合するか接着するかで固定し、掛用送風管（２９）と接続すると万能循環暖房機（５０）との接続は完了するのです。掛用送風布（３２）単独に送風するのもよい。
特に冬期室温の変化の大きい地区では肩カバー（３７）を使用すれば室温が低下しても肩が温かく、循環温風の温度はほとんど低下しない。
万能循環暖房機（５０）と図１５の組立セットと図３２の掛用送風布（３２）（接着済が着いている）の３点を購入すれば手持ち寝具は全て使用出来る上に、ベットメーキングも今までと同じ手間で出来ます。
このセットを使用して測定したグラフがその証明書で最良の実施例である。
温風の流れは身体に間接的で吸引もソフトで身体に吸付く感じが全く無い。
背面には中央部より温風が流れ、汗は全く溜らず病床の人も床ずれの心配もない。
体の胸の面には掛用カバー（３３′）を通して全面よりソフトに温風が流れ全く刺激がなく最良の快眠環境が実現しました。
又消エネ、ＣＯ２削減が出来る理想の商品であり寝具の革命である。
【産業上の利用可能性】
【０００９】１．ホテルでのＣＯ２削減が第一で日本のＣＯ２排出の１０％を出しています。
ホテルの滞在時間の睡眠８時間を快眠ですごせることが一番重要で観光立国にも利用出来ます。
２．交通産業全てが睡眠不足で事故発生の一因として考へられています。
損失は３兆円とも言われています。この産業には必需品と考へます。
３．介護、病気後の療養生活に体力過後に快眠こそ重要でありこの分野は床ずれ防止にもなり医療費節約の商品として利用が可能です。
４．全ての産業は社員の健康が基本であり社員家族の健康も含めて利用可能です。
【図面の簡単な説明】
【００１０】
【図１】循環暖房機の平面図
【図２】循環暖房機の透視正面図
【図３】循環暖房機の透視側面図
【図４】吸入口平面図
【図５】吸入口正面図
【図６】吸入口側面図
【図７】掛敷送風口の平面図
【図８】掛敷送風口の正面図
【図９】掛敷送風口の側面図
【図１０】循環暖房機の透視側面図
【図１１】循環暖房機のベット取付正面図
【図１２】エコスリープ寝具の透視正面図
【図１３】循環暖房機をベット取付側面図
【図１４】吸気除湿ネットの平面図
【図１５】吸気除湿ネットの断面図
【図１６】敷用送風布、敷用送風管の平面図
【図１７】敷用送風布、敷用送風管の断面図
【図１８】エコスリープ寝具の透視平面図
【図１９】掛用送風布、掛用送風管の平面図
【図２０】掛用送風布、掛用送風管の断面図
【図２１】循環暖房機の温風の流れの透視側面図
【図２２】簡易循環暖房機の透視側面図
【図２３】大病院の使用寝具の寝床内データー
【図２４】国立療養所の使用寝具の寝床内データー
【図２５】一般家庭の使用寝具の寝床内データー
【図２６】高級ホテルの使用寝具使用の寝床内データー
【図２７】エコスリープ寝具使用データー
【図２８】［図２７］の使用寝具に掛、敷にセンサーを設置した位置を示す図
【図２９】室内温度調節器と敷用温湿センサーを示す図
【図３０】高床ベットにセットした透視正面図
【図３１】高床ベットにセットした側面図
【図３２】敷用両サイド送風口の平面図
【図３３】敷用送風布に立体ネットを入れて、吸入口にセットした正面図
【図３４】中床ベットに万能循環暖房機をセット、敷用送風布に入れた立体ネットを通して吸入口とセットした側面図
【図３５】和室で万能循環暖房機をセントした正面図
【図３６】低床ベットに万能循環暖房機をセットした側面図
【図３７】万能循環暖房機の平面図
【図３８】万能循環暖房機の正面図
【図３９】エコスリープ寝具の最良セットの透視正面図
【図４０】エコスリープ寝具の最良セットの側面図
【図４１】エコスリープ寝具の最高セットで寝床循環を測定したグラフ。その際測定した使用ｗ．ＣＯ２の発生量の記録
【符号の説明】
【００１１】１  循環暖房機              ２  フィルターカバー      ３  吸入口
３′  吸入口接続手          ４  ベット用取付手        ５  介護用ベット取付穴
６  掛敷送風口              ６′  掛敷送風口接続手    ７  シロッコファン
８  モーター                ９  ファン吸入口          １０  シロッコファンケース
１１  主ヒーター            １２  副ヒーター          １３  調節ヒーター
１４  温風通路              １５  吸入通路穴          １６  消臭殺菌フィルター
１７  殺菌燈                １８  吸入通路            １９  シロッコファン通風路
２０  シロッコファン吸入口  ２１  温風路溜り          ２２  断熱板
２３  掛用送風口            ２４  敷用送風口          ２５  吸気口
２６  コンセント            ２７  リモコン            ２８  吸気管
２９  掛用送風管            ３０  敷用送風管          ３１  吸気除湿ネット
３１′  吸気除湿ネット頭部カバー                      ３２  掛用送風布
３２′  掛用送風管          ３３  掛用ふとん          ３３′  掛用カバー
３４  敷用送風布            ３４′  敷用送風管        ３５  寝床空間の空気
３６  まくら                ３７  肩カバー            ３８  敷カバー
３９  ベット                ４０  循環暖房機セット棒  ４１  循環暖房機結束バンド
４２  循環暖房機の基板      ４３  簡易循環暖房機      ４４  掛用温湿センサー
４５  敷用温湿センサー      ４６  室内温度調節器      ４７  敷用両サイド送風口
４８  高床ベット取付穴      ４９  中床ベット取付穴    ５０  万能循環暖房機
５１  掛用温湿センサー      ５２  背面温湿センサー    ５３  戻り温湿センサー
【図１】
2009201977.tif 000003
【図２】
2009201977.tif 000004
【図３】
2009201977.tif 000005
【図４】
2009201977.tif 000006
【図５】
2009201977.tif 000007
【図６】
2009201977.tif 000008
【図７】
2009201977.tif 000009
【図８】
2009201977.tif 000010
【図９】
2009201977.tif 000011
【図１０】
2009201977.tif 000012
【図１１】
2009201977.tif 000013
【図１２】
2009201977.tif 000014
【図１３】
2009201977.tif 000015
【図１４】
2009201977.tif 000016
【図１５】
2009201977.tif 000017
【図１６】
2009201977.tif 000018
【図１７】
2009201977.tif 000019
【図１８】
2009201977.tif 000020
【図１９】
2009201977.tif 000021
【図２０】
2009201977.tif 000022
【図２１】
2009201977.tif 000023
【図２２】
2009201977.tif 000024
【図２３】
2009201977.tif 000025
【図２４】
2009201977.tif 000026
【図２５】
2009201977.tif 000027
【図２６】
2009201977.tif 000028
【図２７】
2009201977.tif 000029
【図２８】
2009201977.tif 000030
【図２９】
2009201977.tif 000031
【図３０】
2009201977.tif 000032
【図３１】
2009201977.tif 000033
【図３２】
2009201977.tif 000034
【図３３】
2009201977.tif 000035
【図３４】
2009201977.tif 000036
【図３５】
2009201977.tif 000037
【図３６】
2009201977.tif 000038
【図３７】
2009201977.tif 000039
【図３８】
2009201977.tif 000040
【図３９】
2009201977.tif 000041
【図４０】
2009201977.tif 000042
【図４１】
2009201977.tif 000043